(57)【要約】【課題】  テーブル又は机類の天板に対して脚部を簡易かつ確実に取付け、必要に応じて解体分離可能な天板への脚取付け構造を提供すること。【解決手段】  天板裏面の脚取付部に形成された雌ねじ１１に適合する植込みボルト２１が上端側に設けられ、下端側に埋め込みナット２４が設けられた円柱状取付アダプタであって、さらにその外周面に同形状の逆Ｌ字形の切り込み溝２２が少なくとも一対設けられた円柱状取付アダプタ２０と、該円柱状取付アダプタの外径に適合する内径を有し、前記少なくとも一対の逆Ｌ字形切り込みの縦部分切り込み間隔に対応する間隔に形成された複数の内方突起３１を有する金属管部材３０と、この金属管部材３０の下方に接合可能な脚部材であって、前記円柱状取付アダプタ下端側に設けられた埋め込みナット２４に適合する植込みボルト４１を有する脚部材４０を備えた天板への脚取付け構造である。【選択図】  図１
2006280794.tif 000002
【特許請求の範囲】
【請求項１】
天板裏面の脚取付部に形成された雌ねじに適合する植込みボルトが上端側に設けられ、そして下端側に埋め込みナットが設けられた円柱状取付アダプタであって、その外周面に同形状の逆Ｌ字形の切り込み溝が少なくとも一対設けられた円柱状取付アダプタと、該円柱状取付アダプタの外径に適合する内径を有し、前記少なくとも一対の逆Ｌ字形切り込みの縦部分切り込み間隔に対応する間隔に形成された複数の内方突起を有する金属管部材と、該金属管部材の下方に接合可能な脚部材であって、前記円柱状取付アダプタ下端側に設けられた埋め込みナットに適合する植込みボルトを有する脚部材と、を備えることを特徴とする天板への脚取付け構造。
【請求項２】
前記円柱状取付アダプタが、アルミニウム、アルミニウム合金、その他金属を素材とする金属ダイキャストによって形成される、ことを特徴とする請求項１に記載の天板への脚取付け構造。
【請求項３】
前記円柱状取付アダプタの外周面に形成される逆Ｌ字形切り込み溝が、その水平切込み溝部分の天板側からの距離の異なる複数対として形成される、ことを特徴とする請求項１または２のいずれかに記載の天板への脚取付け構造。
【請求項４】
前記円柱状取付アダプタ下方の埋め込みナットに適合する植込みボルトを有する下方脚部材が、一体的に形成され、下端にレベル調整手段を備える、ことを特徴とする請求項１ないし３のいずれかに記載の天板への脚取付け構造。
【請求項５】
前記円柱状取付アダプタ下方の埋め込みナットに適合する植込みボルトを有する下方脚部材が、複数の脚部材であって連結および解体が可能であり、床面から天板までの高さ調製が可能に形成されていて、下端にレベル調整手段を備える、ことを特徴とする請求項１ないし４のいずれかに記載の天板への脚取付け構造。
【発明の詳細な説明】
【技術分野】
【０００１】
本発明は、テーブルや机類の天板に対して、所望高さに維持するための脚を取り外し可能な状態で取り付けるための天板への脚取り付け構造に関する。
【背景技術】
【０００２】
テーブルまたは机類の天板、家具類等の下部に対して所望高さの脚を取り付けるための天板への脚取付け構造は、テーブルや机その他家具類を実用上の要請から堅固かつ見栄えよく構成するために重要である。木製の天板に脚を取り付けるには、天板裏面に直接または天板裏面に固定された脚取付け桟に設けたほぞ穴と、脚の上端部のほぞとの嵌め合いによる取付け構造、ねじ穴または嵌入穴を有する脚固定補助金具を天板裏面に固定し、これらに脚部材を捻じ込みあるいは嵌入させる取付け構造、短尺の脚では貫通穴を設け、所要本数の脚からなる脚組立体を予め組立てて、その上に天板を載置する構造などが知られている。
【０００３】
小形のテーブルや机等にあっては、簡易な構造であっても足りるが、厚みのある堅木をはじめ大理石、ガラス板等による天板などのような重量の嵩む大形の天板である場合には、相応の強度および構造を有する脚構造が必要となる。
【０００４】
また、管状ないし筒状の脚部材全体を通しボルトにより接合する構造、接合部の一方に植込みボルトを設け、他方にナットを固定しておく構造などが用いられることもある。しかし、円柱や多角柱等の中空柱状体のみを接合によって緊密かつ強固な接合を達成することは容易ではない。
【０００５】
特に、製作（接続、接合、組立て）後、中空柱状体を継続使用することにより、接合部に変形や傷が生じやすく、その結果接合部に曲がりやグラツキが生ずるケースが増大する。また、テーブルや机等の家具で折り畳み脚を具備する、いわゆる折り畳み家具は収納、移動等においては便利であるものの、折りたたみ脚が不安定で僅かな応力により異音やガタを発生する等から、高級感が求められる用途には適さない。かかる用途においては、取り外しが容易である脚部材が必要となるものの、接続・分離が煩雑なものとなる。
【０００６】
特許文献１は、天板４の裏面４隅に取付金具１を固定し、外開きに傾斜している脚２を、ボルト３により固定する構造を開示している。この構造では、脚２が下方になるにしたがって外側に広がっているため、その傾斜を利用して天板４の裏面に取り付けられた取付金具１に対して垂直に締め付けられるボルト３により締め付け固定が行われている。したがって、天板４の裏面に対して垂直な脚部材２を用いる場合は適用不能である。また、特許文献２は、一対の門型脚を使用して天板を支える構造を開示しているが、ここではかかる門型脚の開閉角度を簡単にフィットさせる特殊な構造に関する技術思想を開示するものである。したがって、一般的な構造に広く適合し得るものとはいえない。
【特許文献１】特開平６−１２３３０６号公報
【特許文献２】特開２００２−３２０５１８号公報
【発明の開示】
【発明が解決しようとする課題】
【０００７】
本発明は、テーブルまたは机類の天板に対して脚部を簡易かつ確実に取付け、必要に応じて解体分離可能な天板への脚取付け構造を提供することを課題とする。
【課題を解決するための手段】
【０００８】
請求項１に記載の発明は、天板１０裏面の脚取付部に形成された雌ねじ１１に適合する植込みボルト２１が上端側に設けられ、そして下端側に埋め込みナット２４が設けられた円柱状取付アダプタであって、さらにその外周面に同形状の逆Ｌ字形の切り込み溝２２が少なくとも一対設けられた円柱状取付アダプタ２０と、該円柱状取付アダプタの外径に適合する内径を有し、前記少なくとも一対の逆Ｌ字形切り込みの縦部分切り込み間隔に対応する間隔に形成された複数の内方突起３１を有する金属管部材３０と、該金属管部材の下方に接合可能な脚部材であって、前記円柱状取付アダプタ下端側に設けられた埋め込みナット２４に適合する植込みボルト４１を有する脚部材４０と、を備える天板への脚取付け構造であることを特徴とする。
【０００９】
請求項２に記載の発明は、前記円柱状取付アダプタ２０が、アルミニウム、アルミニウム合金、その他金属を素材とする金属ダイキャストによって形成される天板への脚取付け構造であることを特徴とする。
【００１０】
請求項３に記載の発明は、前記円柱状取付アダプタ２０の外周面に形成される逆Ｌ字形切り込み溝が、その水平切込み溝部分２２Ｈの天板側からの距離の異なる複数対として形成される天板への脚取付け構造であることを特徴とする。
【００１１】
請求項４に記載の発明は、前記円柱状取付アダプタ下方の埋め込みナット２４に適合する植込みボルトを有する下方脚部材が、一体的に形成され、下端にレベル調整手段を備える天板への脚取付け構造であることを特徴とする。
【００１２】
請求項５に記載の発明は、前記円柱状取付アダプタ下方の埋め込みナット２４に適合する植込みボルトを有する下方脚部材が、複数の脚部材であって連結および解体が可能であり、床面から天板までの高さ調製が可能に形成されていて、下端にレベル調整手段を備える天板への脚取付け構造であることを特徴とする。
【００１３】
また、本発明に係る前記下方脚部材４０を、前記円柱状取付アダプタ２０と金属管部材３０とによる構成とすることができる。脚部材４０をこのように構成することにより、脚部材４０同士を連結する場合に、溝部分の形成位置を変移させて両脚部材の金属管端部の間に隙間を形成して、両脚部材間に装飾のため又は連結を強固にするための連結具を挿入することが可能となる。
【発明の効果】
【００１４】
本発明に係る天板への脚取付け構造によれば、円柱状取付アダプタ上端の植込みボルト２１を天板裏面の雌ねじ１１に取り付け、その後円柱状取付アダプタの外周面に形成される少なくとも一対の逆Ｌ字形の切り込み溝の縦切り込み部２２Ｖに適合する金属管の内方突起３１によって両者を係合させ、そして逆Ｌ字形切り込みの横切り込み部２２Ｈに合わせて金属管を僅かに回転させ、下方の埋め込みナット２４に対して下方脚部材の植込みボルトまたは貫通ボルトを締め付けることにより天板と脚部材全体の取付けが行われる。
【００１５】
この場合、天板裏面の雌ねじ形成部分が天板裏面と平坦面を形成している場合は、円柱状取付アダプタの上面が天板に接するように締め付け、外周面に沿いかつ逆Ｌ字型切込みの縦切り込み（垂直部分）溝に沿って差し込まれる金属管の内方突起をあわせることにより正しく挿入され、そして逆Ｌ字形切込みの横切り込み（水平部分）溝に相当する分だけ回転させることにより金属管は円柱状取付アダプタと確実な係合状態となる。
【００１６】
また、天板裏面の雌ねじ形成部分が天板裏面よりも裏面に膨らみを有する構造である場合には、円柱状取付アダプタの外周面に形成される少なくとも一対の逆Ｌ字形の切り込みの横切込み（水平部分）溝２２Ｈの位置を、前記膨らみに相当する寸法にわたって上方に変移させておけばよい。すなわち、逆Ｌ字形切り込み溝の形成位置、特に横切り込み（水平切り込み）溝部分の形成位置を変移させておくことにより、天板裏面の取り付け部位の構造に合わせて最適の取付け状態を達成することができる。
【００１７】
なお、本発明に係る円柱状取付アダプタ２０と金属管部材３０は、脚部材４０の構成として適用できるものであるが、上記のように溝部分の形成位置を変移可能にすることによって、両脚部材の金属管の間に一定の空間を形成して、両端部に凸部を形成する連結具（特許第３５８５９１０号）を介在させて複数の脚部材を強固に連結することが可能となる。
【００１８】
上述の円柱状取付アダプタは、種々の素材並びに構成を取ることが可能であるが、例えばアルミニウムまたはアルミニウム合金、その他の金属による金属ダイキャストを利用することができる。従来の取付け構造には複数の金属部材、例えば雌ねじの形成された管状剤と天板への取付けに適するフランジまたは角材同士を溶接した取り付け金具が多く利用されたが、その所要工数および仕上げ精度の面で大きな不利益があった。
【００１９】
これに対して金属ダイキャスト製の円柱状取付アダプタは製造にかかる所要工数および仕上げ精度において格段に優れている。したがって、テーブルまたは机等の天板と脚部材とを連結組立てした際の仕上がり精度が良好である結果、多数のテーブル等を整列せしめるような用途において格段の好結果が得られる。
【発明を実施するための最良の形態】
【００２０】
以下、添付図を参照しつつ本発明に係る天板への脚取付け構造の実施の形態について説明する。図１は、本発明に係る天板への脚取付け構造を構成する主要部材の構造を、適宜離隔させた状態、ならびにＡ−Ａ、Ｂ−Ｂ、Ｃ−Ｃ矢視断面図によって示すものである。
【００２１】
天板１０の脚取り付け部位である四箇所（四隅）、六箇所（四隅および長辺の中間）等には予め脚取り付け用の雌ねじ１１が形成されている。なお、この雌ねじ１１を形成する部材の下面１２は、天板１０に対して面一の場合もあるが図のように裏面よりも若干突き出していることもある。このような天板１０の脚取り付け部位には、上端側には雌ねじ１１に適合する植込みボルト２１を有し、その下端側に脚部材取り付け用の埋め込みナット２４を有する円柱状取付アダプタ２０が取り付けられ、その周囲を過度の遊びがないように嵌合せしめられる金属管部材３０が配設される。
【００２２】
この金属管部材３０を円柱状取付アダプタ２０に被せた状態で、上記埋め込みナット２４に適合する植込みボルト４１を有する脚部材４０が取り付けられる。金属管部材３０の上方側には、適宜間隔で管の外側から内方に向けてポンチ加工またはプレス加工により形成される一対の内方突起３１が形成される（Ｃ−Ｃ矢視断面図参照）。このような一対の内方突起３１の大きさならびに突出高さは、後述する円筒状取付アダプタ２０に形成される切込み溝２５、逆Ｌ字形切り込み溝２２、２２’および２２”（図２参照）の幅および深さに適合するように決定される。
【００２３】
本発明に係る天板への脚取り付け構造の重要な構成部材である円柱状取付アダプタ２０は、上記天板１０の裏面における突き出し部分１２に相当する外径の円柱状体で、上端側に植込みボルト２１を備え、下端側に埋め込みナット２４（Ｂ−Ｂ矢視断面図参照）を備えている。上端側の植込みボルト２１は、天板１０に直接、または付属金具として形成された雌ねじ１１に係合し、回転操作によって確実に締め付けられる。
【００２４】
また、下端の埋め込みナット２４は、脚部材４０上端に付加されている植込みボルト４１を受容するものである。なお、脚部材４０は、適宜長さの棒状体または複数部材の連結体とすることができ、下端に高さ調整用のアジャスターが付加されることが多い。しかし、本発明の主要部ではないためこれ以上詳述はしない。ここに、円柱状取付アダプタ２０の上端に突出する植込みボルト２１と脚部材４０上端の植込みボルト４１とは、同一種類およびねじ径であると円柱状取付アダプタ部分２０および金属管部材３０を介在させることなく脚部材４０を直接取り付けることも可能となるため、使用上の多様性が増すことになり都合が良い。また、脚部材４０を円柱状取付アダプタ２０と金属管部材３０による構成とすることもできる。
【００２５】
円柱状取付アダプタ２０は、略円柱状の軽金属ダイキャスト製として形成されることが望ましいが、その他の素材、例えば繊維強化プラスチック製、金属の切削加工製とすることも可能である。しかし、耐久性、製造コストなどを考慮すれば、アルミニウムやアルミ合金による金属ダイキャストが優れている。
【００２６】
このような円柱状取付アダプタ２０の下方側周囲には、周囲が部分的に小径に形成された括れ部２３が形成され、その括れ部２３の下縁部には、金属管部材３０の一対の内方突起３１の通過を許容するための切り込み溝２５が形成される。また、括れ部２３の上方には、垂直の切り込み溝２２Ｖおよびその上端から左右いずれかに伸びる方向に切り込まれた水平切り込み溝２２Ｈからなる逆Ｌ字形切り込み溝２２が少なくとも一対形成される。このような構成は材料コストの低減を考慮したものであり、円柱状取付アダプタの形状は括れ部を形成しない円柱状であってもよい。
【００２７】
この場合の垂直切り込み溝部分２２Ｖは、金属管部材３０の上方側に形成された内方突起３１の間隔に適合するように形成される。このような構造の円柱状取付アダプタ２０に対して金属管部材３０を嵌合せしめる際は、まず括れ部２３の下方に形成された切込み溝２５に内方突起３１を合わせて挿入し、ついで逆Ｌ字形切り込みの垂直切り込み溝２２Ｖに合わせて押込み、上端に突き当たったところから水平切り込み溝２２Ｈに沿って水平方向に回転させればよい。かかる操作によって、金属管部材３０は円柱状取付アダプタの周囲に仮止めされる。かかる状態で脚部材４０上方の植込みボルト４１を円柱状結合アダプタ２０の埋め込みナット２４にねじ込むことにより、確実かつ無駄な遊びなどの生じない脚部取り付け固定が行われる。
【００２８】
また、このような円柱状取付アダプタ２０は、上述のような一対の逆Ｌ字形切り込み溝２２以外に、図２の円柱状取付部材の展開図に示すように、同間隔の垂直切り込み溝であって水平切り込み溝部分の位置、すなわち円柱状取り付け部材２０の上端からの距離が異なる切り込み溝を有する複数対の逆Ｌ字形切り込み溝２２’、２２”等を形成することができる。なお、水平切り込み溝の中心と金属管部材３０の上端位置との距離Ｄは金属管部材３０の内方突起３１と上端との距離に等しい。
【００２９】
したがって、水平切り込み溝２２Ｈの位置が異なる逆Ｌ字形切り込み溝２２、２２’、２３”等を設けることにより、円柱状取付アダプタ２０および金属管部材３０の取り付け時における相対位置を適宜調整することが可能となり、天板１０の取り付け部１２に対する上記両部材２０、３０の納まりを最適状態に保つことが可能となる。また、円柱状取付アダプタ２０の下方に形成された括れ部２３は、金属管部材３０の内方突起３１が、逆Ｌ字形切り込み溝２２以外の逆Ｌ字形切り込み溝２２’、２２”等いずれの部位に対しても適合可能なような回動を可能にするものである。
【００３０】
本発明に係る天板への脚取り付け構造は、天板の脚取り付け部位に脚取り付け用雌ねじ１１が予め形成されており、上端に植え込みボルト４１を有する脚部材４０が直接取付け可能であるような状態において、円柱状取り付けアダプタ２０および金属管部材３０を介在せしめることにより、外観上も違和感が無い良好な脚取り付け作業が実施可能である。本実施例に示す円柱状取付アダプタ２０および金属管部材３０は、天板１０部分と脚部材４０部分とを分離して保管する際は、脚部材側に取り付けた状態で分離しておいてもよい。再度組立てを行う際に、天板１０裏面の取付け部分構造が異なる天板が使用される場合は、金属管部材３０と円柱状取付アダプタ２０との相対関係を逆Ｌ字形切り込み溝２２と金属管部材３０の内方突起３１との組合わせ変更により容易に対応することができる。
【００３１】
なお、本発明に係る前記下方脚部材４０を、前記円柱状取付アダプタ２０と金属管部材３０とによる構成とすることができる。脚部材４０をこのように構成することにより、脚部材４０同士を連結する場合に、円柱状取付け部材２０の上端からの距離が異なる切り込み溝を形成することによって両脚部材（金属管部）端部間に隙間（空間）を形成して、両脚部材間に装飾のため又は連結を強固にするための両端部に凸部を形成する連結具を挿入することが可能となり、このような連結具を介在させて複数の脚部材を強固に連結することが可能となる。
【産業上の利用可能性】
【００３２】
本発明に係る天板への脚取付構造によれば、例えば、ホテル、会議場、展示場、レストラン、結婚式場等のように同一形状のテーブルを外観上も違和感の生じない状態で多数整列させる必要がある状況において、過度の労力増加を招くこと無しに脚取付状態や高さの不揃いなどの生ずる不都合を排除することが可能となる。
【００３３】
例えば、１ないし小数のテーブルで足りる小規模の会場では目立たないものが、大会場にテーブルを寄せ集めるような状況になると、製造者や製造時期の異なるテーブル類を組合わせなければならない状況も出現する。かかる場合に、本発明に係る脚取付構造を利用すれば、多少構造の異なるテーブル天板と脚部材との取り付け状体の微調整が可能となる。上記のような用途にあっては、限られた時間内に会場準備を行なう必要があり、また短時間において変更しなければならない状況もあり得る。かかる状況下においては、本発明に係る天板への脚取付構造を適用することにより、有利に対応することができる。
【図面の簡単な説明】
【００３４】
【図１】本発明に係る天板への脚取付構造における主要部分の関連を示す正面図及び部分断面図である。
【図２】本発明に係る円柱状取付アダプタの展開図である。
【符号の説明】
【００３５】
１０    天板
１１    雌ねじ
１２    突き出し台座部分
２０    円柱状取付アダプタ
２１    植込みボルト
２２、２２’、２２”    逆Ｌ字形切り込み溝
２２Ｖ  縦切り込み溝（垂直切り込み溝）
２２Ｈ  横切り込み溝（水平切り込み溝）
２３    括れ部
２４    埋め込みナット
２５    切込み溝（一対）
３０    金属管部材
３１    内方突起
４０    脚部材
４１    植込みボルト
【図１】
2006280794.tif 000003
【図２】
2006280794.tif 000004